(57)【要約】【課題】  照明器具に対する照明灯の着脱作業における作業者の安全性を確保することができる。【解決手段】  ＬＥＤランプは、ＬＥＤ（発光素子）と、ＬＥＤに電流を供給可能に接続された回路装置１３と、ＬＥＤ及び回路装置１３が収容される直管体と、該直管体の両端に個別に設けられ、回路装置１３を介して接続された２つの端子対１４ａ、１４ｂと、を備え、回路装置１３は、２つの端子対１４ａ、１４ｂの一方の端子対１４ｂに電圧が印加され、かつ他方の端子対１４ａに電圧が印加されていないとき、一方及び他方の端子対１４ｂ、１４ａ間の通電を制限するスイッチ回路１３２を含む。【選択図】図５
2016143607.tif 000002
【特許請求の範囲】
【請求項１】
発光素子と、
前記発光素子に電流を供給可能に接続された回路装置と、
前記発光素子及び前記回路装置が収容される直管体と、
前記直管体の両端に個別に設けられ、前記回路装置を介して接続された２つの端子部と、を備え、
前記回路装置は、前記２つの端子部の一方の端子部に電圧が印加され、かつ他方の端子部に電圧が印加されていないとき、前記２つの端子部間の通電を制限する通電制御手段を含むことを特徴とする照明灯。
【請求項２】
前記通電制御手段は、前記２つの端子部の一方の端子部に電圧が印加され、かつ他方の端子部に電圧が印加されていないとき、前記２つの端子部間を非導通とするスイッチ回路であることを特徴とする請求項１に記載の照明灯。
【請求項３】
前記スイッチ回路は、
前記２つの端子部間の導通／非導通を切り替えるための少なくとも１つのスイッチング素子と、
前記他方の端子部を介した入力電圧の有無に応じて前記スイッチング素子を制御するスイッチング制御手段と、を含むことを特徴とする請求項２に記載の照明灯。
【請求項４】
前記他方の端子部は、一対の端子から成る端子対であり、
前記スイッチング制御手段は、前記端子対の端子間に接続された電圧検出部を有し、
前記電圧検出部は、電圧を検出したときに前記スイッチング素子をＯＮ状態にすることを特徴とする請求項３に記載の照明灯。
【請求項５】
前記電圧検出部は、絶縁素子フォトボルであることを特徴とする請求項４に記載の照明灯。
【請求項６】
前記スイッチ回路は、
前記２つの端子部間の導通／非導通を切り替えるための少なくとも１つのスイッチング素子と、
前記他方の端子部を介した入力電流の有無に応じて前記スイッチング素子を制御するスイッチング制御手段と、を含むことを特徴とする請求項２に記載の照明灯。
【請求項７】
前記他方の端子部は、一対の端子から成る端子対であり、
前記スイッチング制御手段は、前記端子対の端子間に接続された電流検出部を有し、
前記電流検出部は、電流を検出したときに前記スイッチング素子をＯＮ状態にすることを特徴とする請求項６に記載の照明灯。
【請求項８】
前記スイッチング素子は、少なくとも１つのトランジスタを有することを特徴とする請求項３〜７のいずれか一項に記載の照明灯。
【請求項９】
前記トランジスタは、ＭＯＳＦＥＴであることを特徴とする請求項８に記載の照明灯。
【請求項１０】
前記電圧は、交流電圧であり、
前記回路装置は、前記他方の端子部と前記発光素子との間に接続された整流手段を更に含むことを特徴とする請求項１〜９のいずれか一項に記載の照明灯。
【請求項１１】
前記発光素子は、発光ダイオードであり、
前記２つの端子部は、照明器具の電圧が印加される２つのソケットに個別に装着されることを特徴とする請求項１〜１０のいずれか一項に記載の照明灯。
【請求項１２】
前記照明器具は、安定器を含み、
前記２つのソケットは、前記安定器を介して電源に接続されることを特徴とする請求項１１に記載の照明灯。
【請求項１３】
前記回路装置は、前記安定器に対応するための電流制限抵抗を有することを特徴とする請求項１２に記載の照明灯。
【請求項１４】
請求項１〜１３のいずれか一項に記載の照明灯と、
前記照明灯が装着される照明器具と、を備える照明装置。
【請求項１５】
発光素子と、
前記発光素子に電流を供給可能に接続された回路装置と、
前記回路装置を介して接続され、照明器具の電圧が印加される２つのソケットに個別に装着される２つの端子部と、を備え、
前記回路装置は、前記２つの端子部の一方の端子部が電圧が印加された前記２つのソケットの一方に装着され、かつ前記２つの端子部の他方の端子部が電圧が印加された前記２つのソケットの他方に装着されていないとき、前記２つの端子部間の通電を制限する通電制御手段を含むことを特徴とする照明灯。
【請求項１６】
発光素子と、
前記発光素子に電流を供給可能に接続された回路装置と、
前記発光素子及び前記回路装置が収容される直管体と、
前記直管体の両端に個別に設けられ、前記回路装置を介して接続された２つの端子部と、を備え、
前記回路装置は、前記２つの端子部間に所定電圧範囲内の電圧がかかった場合に前記２つの端子部間の通電を許容し、前記２つの端子部間に前記所定電圧範囲外の電圧がかかった場合に前記２つの端子部間の通電を制限する通電制御手段を含むことを特徴とする照明灯。
【請求項１７】
前記所定電圧範囲は、電源電圧を基準に設定されることを特徴とする請求項１６に記載の照明灯。
【発明の詳細な説明】
【技術分野】
【０００１】
本発明は、照明灯及び照明装置に係り、更に詳しくは、発光素子を備える照明灯及び該照明灯を備える照明装置に関する。
【背景技術】
【０００２】
近年、照明器具に装着される直管形の照明灯に関する技術の開発が盛んに行われている。
【０００３】
例えば、特許文献１には、直管型ＬＥＤランプの直管体の両端に個別に設けられた２つの端子部間の導通／非導通を切り替えるための、外部に露出したスイッチ部材を含む直管型ＬＥＤランプ用スイッチ装置が開示されている。
【発明の概要】
【発明が解決しようとする課題】
【０００４】
しかしながら、特許文献１に開示されている直管型ＬＥＤランプ用スイッチ装置では、例えば、直管型ＬＥＤランプの一方側を照明器具に装着した状態で、他方側を装着する際に作業者が操作片を押し込むと、他方側の端子に電流が流れてしまうため、作業者の安全性を確保するための対策を講じる必要があった。
【課題を解決するための手段】
【０００５】
本発明は、発光素子と、前記発光素子に電流を供給可能に接続された回路装置と、前記発光素子及び前記回路装置が収容される直管体と、前記直管体の両端に個別に設けられ、前記回路装置を介して接続された２つの端子部と、を備え、前記回路装置は、前記２つの端子部の一方の端子部に電圧が印加され、かつ他方の端子部に電圧が印加されていないとき、前記２つの端子部間の通電を制限する通電制御手段を含むことを特徴とする照明灯である。
【発明の効果】
【０００６】
本発明によれば、照明器具に対する照明灯の着脱作業における作業者の安全性を確保することができる。
【図面の簡単な説明】
【０００７】
【図１】一実施形態の照明装置の概略構成を示す図である。
【図２】ＬＥＤランプの外観を示す図である。
【図３】回路装置の口金Ａ側の構成を模式的に示す図である。
【図４】回路装置の口金Ａ側の構成を概略的に示す図である。
【図５】回路装置の構成を示す図である。
【図６】照明器具に対するＬＥＤランプの着脱について説明するための図である。
【発明を実施するための形態】
【０００８】
以下に、一実施形態を図１〜図６に基づいて説明する。図１には、一実施形態に係る照明装置１００の概略構成が示されている。
【０００９】
照明装置１００は、一例として図１に示されるように、照明灯としての直管形のＬＥＤランプ１０と、該ＬＥＤランプ１０が装着される照明器具２０とを備えている。照明器具２０は、ＬＥＤランプ１０が装着される器具を意味し、「ランプ取り付け器具」と呼んでも良い。
【００１０】
ＬＥＤランプ１０は、一例として図２〜図５に示されるように、複数のＬＥＤ（発光ダイオード、図３及び図４では便宜上単一のＬＥＤのみを図示）と、該複数のＬＥＤに電流を供給可能に接続された回路装置１３（図３〜図５参照）と、複数のＬＥＤ及び回路装置１３が収容される長尺の直管体１１と、該直管体１１の長手方向の両端に個別に取り付けられた２つの口金Ａ、Ｂと、２つの口金Ａ、Ｂに個別に突設され回路装置１３を介して接続された２つの端子対１４ａ、１４ｂとを含む。各端子対は、一対の端子から成る。
【００１１】
ここでは、ＬＥＤランプ１０は、２つの端子対１４ａ、１４ｂを介して給電を受ける両端給電型の直管形ＬＥＤランプである。
【００１２】
直管体１１は、一例として、複数のＬＥＤ及び回路装置１３が基板を介して実装された長尺の基台と、該基台を覆う長尺筒状の透光性を有するカバー（透光性を有する直管部材）とを有する。
【００１３】
照明器具２０は、一例として、図１に示されるように、リフレクタ（反射傘）２１、対向する２つのソケット２２ａ、２２ｂ、安定器２３などを有している。すなわち、照明器具２０は、蛍光灯用のものである。
【００１４】
リフレクタ２１は、一例として、建物の天井に取り付けられ、ＬＥＤランプ１０が挿入される細長い凹部を有し、該凹部に挿入されたＬＥＤランプ１０からの光を反射させる。
【００１５】
２つのソケット２２ａ、２２ｂは、一例として、リフレクタ２１の凹部の長手方向の両端に個別に設けられ、ＬＥＤランプ１０の２つの端子対１４ａ、１４ｂが個別に装着（例えば挿入）される。各ソケットは、ＬＥＤランプ１０の端子対が装着される装着部（例えば挿入部）に該端子対と電気接続する電極対を有している。なお、図１では、各端子対の２つの端子は、紙面奥行き方向に並んでいる。
【００１６】
各ソケットの装着部は、一例として、ソケット本体に対して弾性部材により対向するソケット側に付勢された状態で、その付勢方向とは反対方向にスライド可能（押し込み可能）となっている。
【００１７】
そこで、一方の端子対を一方のソケットに装着し、ＬＥＤランプ１０を一方のソケットに押し付けた状態で（一方のソケットのソケット本体に対して装着部を押し込んだ状態で）、他方の端子対を他方のソケットに装着することで、ＬＥＤランプ１０を照明器具２０に装着することができる。
【００１８】
安定器２３は、一例として、リフレクタ２１の上面に取り付けられており、入力側は交流電源Ｅに接続され、出力側は各ソケットの電極対に接続されている。すなわち、照明器具２０は、両端給電方式である。
【００１９】
交流電源Ｅは、電源スイッチの操作によりＯＮ／ＯＦＦされる。交流電源ＥがＯＮのときには、安定器２３を介して２つのソケット２２ａ、２２ｂに常時電圧がかかる。ここでは、安定器２３と各ソケットの電極対は、２本の配線で接続されている。
【００２０】
以下に、回路装置１３について、図３〜図５を参照して詳細に説明する。
【００２１】
図３には、回路装置１３の口金Ａ側の構成が模式的に示されている。回路装置１３は、図３に示されるように、一例として、各ＬＥＤを駆動する（点灯させる）ドライブ回路１３１と、該ドライブ回路１３１と端子対１４ａとの間の導通／非導通を切り替えるスイッチ回路１３２とを含む。
【００２２】
図５には、回路装置１３の全体構成が示されている。
【００２３】
ドライブ回路１３１は、図５に示されるように、一例として、スイッチ回路１３２と複数のＬＥＤとの間に接続されたＡＣ／ＤＣコンバータ（整流手段）と、端子対１４ｂと複数のＬＥＤとの間に接続されたＡＣ／ＤＣコンバータ（整流手段）を含む。ここでは、各整流手段は、４つのダイオードがブリッジ接続された全波整流とされているが、単一ダイオードによる半波整流とされても良い。また、ドライブ回路１３１は、高調波対策として絶縁型のＰＦＣ回路機能を有していても良い。なお、図５では、一例として、複数（例えば４つ）のＬＥＤが直列に接続されて成る直列接続体が複数（例えば２つ）並列に接続されている。
【００２４】
また、一例として、２つの端子対１４ａ、１４ｂ間には、安定器２３に対応するための複数（例えば４つ）の抵抗Ｒが接続されている。各抵抗Ｒは、ハイインピーダンスの電流制限抵抗である。
【００２５】
図４には、回路装置１３の口金Ａ側の構成が概略的に示されている。スイッチ回路１３２は、図４に示されるように、一例として、ドライブ回路１３１と端子対１４ａの一方の端子との間に接続されたスイッチング素子Ｓ１と、ドライブ回路１３１と端子対１４ａの他方の端子との間に接続されたスイッチング素子Ｓ２と、各スイッチング素子を制御するスイッチング制御手段ＳＣと、を有する。
【００２６】
各スイッチング素子としては、例えばトランジスタ、ダイオード、リレー等を少なくとも１つ用いることができるが、ここでは、高速動作及び小型化に有利なトランジスタが用いられる。
【００２７】
トランジスタとしては、例えば、ＭＯＳＦＥＴ、接合型ＦＥＴ、バイポーラトランジスタ等を用いることができるが、ここでは、省電力化が可能であり、かつ大電力にも対応可能なＭＯＳＦＥＴが用いられる。
【００２８】
各スイッチング素子は、一例として、ソース端子、ゲート端子が共通の２つのｎチャンネルＭＯＳＦＥＴ（以下では「ｎＭＯＳ」とも称する）を含んで構成される。なお、ｎＭＯＳに代えて、ｐＭＯＳ（ｐチャンネルＭＯＳＦＥＴ）を用いても良い。
【００２９】
ここで、照明器具２０の各ソケットの電極対には、交流電源Ｅによる電圧が安定器２３を介して印加される。蛍光灯の場合は、各端子対がソケットに装着されると該端子対に電圧が印加され該端子対に接続されたフィラメントに電流が流れる。ＬＥＤランプ１０の場合にも、同様に、各端子対がソケットに装着されると該端子対に電圧が印加される。
【００３０】
そこで、スイッチング制御手段ＳＣは、一例として、２つのスイッチング素子Ｓ１、Ｓ２に個別に対応して設けられた端子間電圧検出部１３３ａ、１３３ｂを含んで構成される。
【００３１】
各端子間電圧検出部は、端子対１４ａの２つの端子間に接続され、該端子間の電圧を検出すると、対応するスイッチング素子の２つのｎＭＯＳのゲート端子にＯＮ電圧（ゲート電圧）を印加する。
【００３２】
ここでは、各端子間電圧検出部として、絶縁素子フォトボル（フォトボルカプラ）を用いている。
【００３３】
この絶縁素子フォトボルでは、入力電圧による内蔵ＬＥＤの光出力を内蔵ＰＤＡ（フォトダイオードアレイ）で受光し、発生した起電力でｎＭＯＳにゲート電圧を印加する。絶電素子フォトボルの入力側（ＬＥＤ側）と出力側（ＰＤＡ側）は電気的に絶縁されており、ｎＭＯＳ側で発生するノイズ等のドライブ回路１３１側への影響を抑制することができる。また、絶縁素子フォトボルでは、二次側外部電源を使わずにｎＭＯＳを駆動可能である。
【００３４】
そこで、端子対１４ａが２つのソケット２２ａ、２２ｂの一方に装着（例えば挿入）され、交流電源Ｅの電圧が安定器２３を介して端子対１４ａに印加されると、各端子間電圧検出部（絶縁素子フォトボル）により対応するスイッチング素子の２つのｎＭＯＳにゲート電圧が印加され該２つのｎＭＯＳがＯＮとなり、端子対１４ａと端子対１４ｂとがドライブ回路１３１を介して導通する。
【００３５】
更に、端子対１４ｂが２つのソケット２２ａ、２２ｂの他方に装着（例えば挿入）され、交流電源Ｅの電圧が安定器２３を介して端子対１４ｂに印加されていれば、２つの端子対１４ａ、１４ｂの一方から交流電流が流入し、ＡＣ／ＤＣコンバータで直流電流に変換され、複数のＬＥＤに供給され該複数のＬＥＤが発光する。複数のＬＥＤを介した電流は、２つの端子対１４ａ、１４ｂの他方から流出する。
【００３６】
ところで、蛍光灯用の照明器具（蛍光灯器具）を含む照明装置において、例えば蛍光灯からＬＥＤランプへの交換時、ＬＥＤランプから蛍光灯への交換時、ＬＥＤランプからＬＥＤランプへの交換時等におけるＬＥＤランプ着脱作業の際に、該ＬＥＤランプが例えば両端給電型の工事レスＬＥＤランプ、すなわち既存蛍光灯器具の安定器をそのまま用いる方式のＬＥＤランプである場合には、作業者が感電するおそれがある。
【００３７】
詳述すると、交流電源がＯＮのときには２つのソケットには電圧がかかっている。この状態でＬＥＤランプの着脱を行う際、作業者が、一方の端子対をソケットに装着した状態で（該端子対にグランドに対する電圧が印加された状態で）他方の端子対や口金に触れると、感電するおそれがある。
【００３８】
すなわち、ソケットに装着された一方の端子対から回路装置１３を介してソケットに装着されていない他方の端子対に電流が流れるおそれがある。
【００３９】
本実施形態のＬＥＤランプ１０においては、端子対１４ｂに電圧が印加され、かつ端子対１４ａに電圧が印加されていない状態（図６参照）、すなわち端子対１４ｂがソケット２２ｂに装着され、かつ端子対１４ａがソケット２２ａに装着されない状態では、端子対１４ａとドライブ回路１３１とは導通せず、端子対１４ａと端子対１４ｂは導通しないため、この状態で作業者が端子対１４ａや口金Ａに触れても感電しない。
【００４０】
そこで、ＬＥＤランプ着脱作業の際、作業者は、端子対１４ｂを２つのソケット２２ａ、２２ｂの一方に装着した状態で、端子対１４ａを２つのソケット２２ａ、２２ｂの他方に装着もしくは該他方から取り外すこととすれば、端子対１４ａや口金Ａに触れても感電しない。
【００４１】
なお、ＬＥＤランプ１０の２つの端子対１４ａ、１４ｂの着脱順序を作業者に認識させるために、例えば、端子対１４ａ側の口金Ａやその近傍に「後に装着、先に取り外し」、端子対１４ｂ側の口金Ｂやその近傍に「先に装着、後に取り外し」のような注意書きを施すことが望ましい。
【００４２】
しかしながら、実際にＬＥＤランプ着脱作業がこのような注意書きどおりに行われるとは限らないため、万全を期すために、端子対１４ｂとドライブ回路１３１とを、例えばスイッチ回路１３２と同様の機能を有するスイッチ回路を介して接続することが望ましい。
【００４３】
この場合、端子対１４ａに電圧が印加され、かつ端子対１４ｂに電圧が印加されない状態では、端子対１４ｂとドライブ回路１３１とは導通せず、端子対１４ａと端子対１４ｂは導通しないため、この状態で端子対１４ｂや口金Ｂに触れても感電しない。
【００４４】
この結果、ＬＥＤランプ着脱作業の際、作業者は、端子対１４ａを２つのソケット２２ａ、２２ｂの一方に装着した状態で、端子対１４ｂを２つのソケット２２ａ、２２ｂの他方に装着する際もしくは該他方から取り外す際、端子対１４ｂや口金Ｂに触れても感電しない。
【００４５】
結果として、作業者は、２つの端子対１４ａ、１４ｂの着脱順序を気にすることなく、ＬＥＤランプ１０の着脱作業を安全に行うことができる。
【００４６】
以上説明した本実施形態のＬＥＤランプ１０は、第１の観点からすると、ＬＥＤ（発光素子）と、該ＬＥＤに電流を供給可能に接続された回路装置１３と、ＬＥＤ及び回路装置１３が収容される直管体１１と、該直管体１１の両端に個別に設けられ、回路装置１３を介して接続された２つの端子対１４ａ、１４ｂと、を備え、回路装置１３は、２つの端子対１４ａ、１４ｂの一方の端子対１４ｂに電圧が印加され、かつ他方の端子対１４ａに電圧が印加されていないとき、一方及び他方の端子対１４ｂ、１４ａ間の通電を制限するスイッチ回路１３２（通電制御手段）を含む。
【００４７】
また、本実施形態のＬＥＤランプ１０は、第２の観点からすると、ＬＥＤと、該ＬＥＤに電流を供給可能に接続された回路装置１３と、回路装置１３を介して接続され、照明器具２０の電圧が印加される２つのソケット２２ａ、２２ｂに個別に装着される２つの端子対１４ａ、１４ｂと、を備え、回路装置１３は、２つの端子対１４ａ、１４ｂの一方の端子対１４ｂが電圧が印加された２つのソケット２２ａ、２２ｂの一方に装着され、かつ２つの端子対１４ａ、１４ｂの他方の端子対１４ａが電圧が印加された２つのソケット２２ａ、２２ｂの他方に装着されないとき、一方及び他方の端子対１４ａ、１４ｂ間の通電を制限するスイッチ回路１３２（通電制御手段）を含む。
【００４８】
本実施形態のＬＥＤランプ１０では、ＬＥＤランプ１０の着脱作業の際、一方の端子対１４ｂに電圧が印加され、かつ他方の端子対１４ａに電圧が印加されていないとき、一方及び他方の端子対１４ｂ、１４ａ間の通電が制限されるため、作業者は他方の端子対１４ａに触れても感電しない。
【００４９】
この結果、照明器具に対するランプ着脱作業における作業者の安全性を確保することができる。
【００５０】
すなわち、本実施形態によれば、照明器具２０に対する着脱時の安全性に優れた直管形のＬＥＤランプ１０を提供することができる。
【００５１】
一方、特許文献１には、発光素子を介した一方及び他方の端子対間の導通／非導通を切り替える、スイッチ部材がＬＥＤランプの各口金に設けられたスイッチ装置が開示されている。このスイッチ装置では、各口金部に突設された端子対のソケットへの挿入動作にスイッチ部材が連動して（押圧操作され）、一方及び他方の端子対が導通する仕組みになっている。
【００５２】
しかしながら、特許文献１では、スイッチ部材が外部に露出しているため、一方の端子対に電圧が印加され、かつ他方の端子対に電圧が印加されていないとき、すなわち一方の端子対が電圧が印加されたソケットに装着され、かつ他方の端子対が電圧が印加されたソケットに装着されていないとき、作業者が他方の端子対及び該端子対側のスイッチ部材に触れると、一方及び他方の端子対が導通し、感電するおそれがあった。すなわち、特許文献１では、照明器具に対するランプ着脱作業における作業者の安全性を確保するための対策を講じる必要があった。
【００５３】
また、スイッチ回路１３２は、一方の端子対１４ｂに電圧が印加され、かつ他方の端子対１４ａに電圧が印加されないとき、一方及び他方の端子対１４ａ、１４ｂ間を導通させず、一方の端子対１４ａに電圧が印加されたとき、一方及び他方の端子対１４ａ、１４ｂ間を導通させる。
【００５４】
この場合、着脱作業時の感電を防止でき、かつＬＥＤランプ１０を照明器具２０に装着することでＬＥＤを発光させることができる。
【００５５】
また、スイッチ回路１３２は、２つの端子対１４ａ、１４ｂ間の導通／非導通を切り替えるための２つのスイッチング素子Ｓ１、Ｓ２と、他方の端子対１４ａの端子間電圧（入力電圧）の有無に応じて各スイッチング素子を制御するスイッチング制御手段ＳＣとを含む。
【００５６】
この場合、他方の端子対１４ａへの印加電圧（入力電圧）の有無に応じて、一方及び他方の端子対１４ａ、１４ｂの導通／非導通を切り換えることができる。
【００５７】
また、スイッチング制御手段ＳＣは、他方の端子対１４ａの端子間に接続された端子間電圧検出部を有し、該端子間電圧検出部は、電圧を検出したときに各スイッチング素子をＯＮ状態にする。
【００５８】
この場合、他方の端子対１４ａに電圧が印加されたときに、一方及び他方の端子対１４ａ、１４ｂ間を導通させることができる。
【００５９】
また、端子間電圧検出部は、絶縁素子フォトボルであるため、スイッチング素子で発生するノイズのドライブ回路１３１側への影響を抑制し、かつ構成の簡素化を図ることができる。
【００６０】
また、スイッチング素子は、少なくとも１つのトランジスタを有するため、高密度集積化を図ることができる。
【００６１】
また、トランジスタは、ＭＯＳＦＥＴであるため、大電力に対応可能であり、かつ省電力化を図れる。
【００６２】
また、電圧は、交流電圧であり、回路装置１３は、各端子対と複数のＬＥＤとの間に接続されたＡＣ／ＤＣコンバータ（整流手段）を更に含むため、交流電流を直流電流に変換して複数のＬＥＤに供給することができる。このように、ＬＥＤランプ１０は整流手段を内蔵しているため、外付けの整流手段を必要としない。
【００６３】
また、２つの端子対１４ａ、１４ｂは、照明器具２０の電圧が印加される２つのソケット２２ａ、２２ｂに個別に装着されるため、照明器具２０に対するＬＥＤランプ１０の着脱作業を安全かつ容易に行うことができる。
【００６４】
また、照明器具２０は、安定器２３を含み、２つのソケット２２ａ、２２ｂは、安定器２３を介して交流電源Ｅに接続されるため、配線工事を行うことなく、照明器具２０に対してＬＥＤランプ１０の着脱を安全かつ容易に行うことができる。
【００６５】
また、回路装置１３は、安定器２３に対応するための電流制限抵抗を有しているため、安定器２３を含む照明器具２０に対して、各ＬＥＤに安定した電流を供給することができる。
【００６６】
また、照明装置１００は、ＬＥＤランプ１０と、該ＬＥＤランプ１０が装着される照明器具２０と、を備えるため、ＬＥＤランプ１０の着脱時の安全性に優れた照明装置を提供できる。
【００６７】
なお、上記実施形態では、発光素子としてＬＥＤが用いられているが、ＬＥＤ以外であっても良い。また、発光素子の個数は、ランプ仕様に応じて、適宜変更可能（単数も可）である。
【００６８】
また、上記実施形態では、ＡＣ／ＤＣコンバータ（整流手段）は、ＬＥＤランプ１０に内蔵されているが、外付けであっても良い。
【００６９】
また、上記実施形態では、電源として、交流電源が用いられているが、直流電源を用いても良い。この場合、整流手段は、不要となる。
【００７０】
また、上記実施形態では、ＬＥＤランプが装着される照明器具として、蛍光灯用の安定器２３を有する照明器具２０が用いられているが、これに限られない。例えば、蛍光灯用の照明器具から安定器を取り外し、該照明器具の２つのソケットを電源に直結するようにしても良い。この場合、上記実施形態と異なり、配線工事が必要となるが、ＬＥＤランプ１０着脱時の感電は上記実施形態と同様に防止される。また、この場合、安定器が取り外されているため、安定器に対応する電流制限抵抗は、不要となる。
【００７１】
また、上記実施形態では、照明器具として蛍光灯用のものが採用されているが、これに限らず、例えば、ＬＥＤランプ用のもの（例えば交流電源と各ソケットとを１本の配線で直結するもの）を採用しても良い。
【００７２】
また、上記実施形態では、スイッチング制御手段ＳＣの各端子間電圧検出部として、絶縁素子フォトボルが用いられているが、これに限られない。例えば、電圧計を含むＯＮ電圧出力器を用いても良い。この場合、ＯＮ電圧出力器は、電圧計の計測値が所定値以上のときにスイッチング素子にＯＮ電圧（ＯＮ信号）を出力することとしても良い。
【００７３】
また、上記実施形態では、各スイッチング素子は、２つのトランジスタ（例えばｎＭＯＳ）を有しているが、要は、少なくとも１つのトランジスタを有していることが好ましい。
【００７４】
また、例えばスイッチング素子として、リレーを用い、スイッチング制御手段として、電圧検出時に該リレーに動作電圧（ＯＮ電圧）を出力する上記ＯＮ電圧出力器を用いても良い。
【００７５】
また、上記実施形態では、回路装置１３は、電流制限抵抗としての抵抗Ｒを複数有しているが、１つのみ有していても良いし、１つも有していなくても良い。
【００７６】
また、スイッチ回路（通電制御手段）は、上記実施形態で説明したものに限らず、入力電圧（端子間電圧）の有無に応じて２つの端子対間を導通／非導通可能であれば、他の構成であっても良い。すなわち、スイッチ回路は、２つの端子対１４ａ、１４ｂの一方の端子対１４ｂに電圧が印加され、かつ他方の端子対１４ａに電圧が印加されないとき、一方及び他方の端子対１４ｂ、１４ａ間の通電を制限すること、並びに２つの端子対１４ａ、１４ｂの他方の端子対１４ａに電圧が印加され、かつ一方の端子対１４ｂに電圧が印加されないとき、一方及び他方の端子対１４ｂ、１４ａ間の通電を制限することの少なくとも一方が可能であることが好ましい。
【００７７】
また、スイッチ回路（通電制御手段）は、少なくとも１つのスイッチング素子と、端子対を介した入力電流の有無に応じて該スイッチング素子を制御するスイッチング制御手段と、を含んで構成されても良い。
【００７８】
具体的には、例えば、スイッチ回路（通電制御手段）は、端子対の端子間に接続された電流検出部を有し、該電流検出部は、端子対がソケットに接続され、電流を検出したときにスイッチング素子をＯＮ状態にすることとしても良い。
【００７９】
この場合、スイッチング素子として、例えばトランジスタ、リレー、ダイオード等を用いることができる。
【００８０】
また、以下に説明する変形例のように、スイッチ回路（通電制御手段）は、２つの端子部１４ａ、１４ｂ間に所定電圧範囲内の電圧がかかった場合に２つの端子部１４ａ、１４ｂ間の通電を許容し、２つの端子部１４ａ、１４ｂ間に所定電圧範囲外の電圧がかかった場合に２つの端子部１４ａ、１４ｂ間の通電を制限することとしても良い。
【００８１】
なお、上記所定電圧範囲は、交流電源Ｅの電源電圧を基準に設定されることが望ましい。例えば、所定電圧範囲は、電源電圧及び電源電圧近傍（好ましくは電源電圧±２０％の範囲、更に好ましくは電源電圧±１０％の範囲）を含むように設定されることが好ましい。この場合、２つの端子対１４ａ、１４ｂが２つのソケット２２ａ、２２ｂに個別に装着され、２つの端子対１４ａ、１４ｂ間に交流電圧Ｅによる電圧が安定器２３を介して印加されたときに、２つの端子対１４ａ、１４ｂ間に複数のＬＥＤを介して通電することができる。また、２つの端子対１４ａ、１４ｂ間に電源電圧とはかけ離れた電圧が印加されたとき、例えば２つの端子対１４ａ、１４ｂの一方のみがソケットに装着され電源電圧近傍よりも低い電圧が印加されたときや、電源電圧近傍よりも高い電圧が印加されたときに、２つの端子対１４ａ、１４ｂ間の通電を制限することができる。この結果、ＬＥＤランプ着脱時の作業者の感電やＬＥＤランプの破損を防止できる。
【００８２】
具体的には、変形例では、スイッチ回路は、２つの端子対１４ａ、１４ｂ間の電圧を計測する電圧計と、２つの端子対１４ａ、１４ｂ間の導通／非導通を切り替えるための少なくとも１つのスイッチング素子と、電圧計の計測値に応じてスイッチング素子を制御するスイッチング制御部とを有していても良い。そして、スイッチング制御部は、スイッチング素子を、電圧計の計測値が所定電圧範囲内のときにＯＮ状態にし、所定電圧範囲外のときにＯＦＦ状態にすることとすれば良い。
【００８３】
また、上記実施形態では、各端子対の一対の端子間に電圧が印加されているが、これに限らず、各端子対の一対の端子を同電位にしたり、短絡しても良い。安定器と各ソケットの電極対とを接続する配線は、同電位にする場合に２本とし、短絡する場合に１本とする（この場合、電極対の一方の電極はダミーとなる）。この場合、各端子対の電圧を検出できないため、２つの端子対間の電圧を検出可能な上記変形例の構成を採用することが望ましい。
【００８４】
また、安定器と各ソケットとの配線が１本の場合や、各ソケットの電極対に代えて単一の電極を用いる場合のように、各端子対の一方の端子がダミーとなるような場合にも、上記変形例の構成が有効である。
【００８５】
また、変形例の構成は、安定器を取り外した照明器具に対しても有効である。
【符号の説明】
【００８６】
１０…ＬＥＤランプ（照明灯）、１１…直管体、１３…回路装置、１４ａ…一方の端子対（一方の端子部）、１４ｂ…他方の端子対（他方の端子部）、２０…照明器具、２３…安定器、１００…照明装置、１３１…ドライブ回路（回路装置の一部）、１３２…スイッチ回路（通電制御手段、回路装置の一部）、１３３ａ、１３３ｂ…端子間電圧検出部（電圧検出部）、Ｓ１…スイッチング素子（スイッチ回路の一部）、Ｓ２…スイッチング素子（スイッチ回路の一部）、ＳＣ…スイッチング制御手段（スイッチ回路の一部）。
【先行技術文献】
【特許文献】
【００８７】
【特許文献１】特許第４９７６５７９号公報
【図１】
2016143607.tif 000003
【図２】
2016143607.tif 000004
【図３】
2016143607.tif 000005
【図４】
2016143607.tif 000006
【図５】
2016143607.tif 000007
【図６】
2016143607.tif 000008